(57)【特許請求の範囲】
【請求項１】
バルコニーの床面下の垂れ壁の前面に、この垂れ壁を覆い隠すように手すり壁が設けられてなり、この手すり壁は、控柱を被覆する縦枠に、バルコニー面材を設けて構成されてなり、
バルコニー面材は、断面矩形状となされたリブ部と、断面板状となされた板状部とが交互に隣接する長尺に形成された板片からなり、その一側辺のリブ部を、他の板片の他側辺の板状部と接合して横並びに複数枚を接合するようになされ、
一側辺のリブ部の側面には、対向する他の板片の板状部と同じ位置となるように、長手方向に沿って溝部が形成され、他側辺の板状部には、前記溝部に相当する分だけ幅方向に長く形成され、この長く形成された部分を長手方向に沿って片面側に屈曲した屈曲部が形成され、
板片の屈曲部を、他の板片の溝部に嵌め込んだ後、これら板片同士を面一にすることによって、溝部内で屈曲部を突っ張らせるようになされ、
縦枠は、その外面に、上記バルコニー面材のリブ部間に板状部が設けられたような意匠部が形成されるとともに、その両側に、上記バルコニー面材のリブ部の側面に設けられた溝部と同様の溝部が形成され、
この溝部内に、それぞれバルコニー面材の板状部の屈曲部が嵌め込まれることによって、縦枠にバルコニー面材が取り付けられるようになされ、
この取付状態で、バルコニーの外面からは、手すり壁の外観が、大面積の一枚ものであるように形成されたことを特徴とするバルコニー構造。
【請求項２】
バルコニーがアルコーブ内に設けられ、手すり壁は、このアルコーブが設けられた前面の外壁からアルコーブ内にセットバックされた位置に納まるようになされた請求項１記載のバルコニー構造。
【請求項３】
バルコニーの床面は、その前面の防水立ち上がり面が、バルコニーに出入りする出入口の下端部よりも低く形成され、手すり壁には複数の通気孔が穿孔され、バルコニーの床面に溜まった水が、前面の防水立ち上がり面からオーバーフローできるようになされた請求項１または２記載のバルコニー構造。
【発明の詳細な説明】
【０００１】
【発明の属する技術分野】
本発明は、住宅建物のバルコニー構造に関するものである。
【０００２】
【従来の技術】
従来より、住宅建物のバルコニーは、躯体から延設させた床梁上に防水床を設けていた。また、床梁の先端部には垂れ壁用のフレームが設けられ、このフレーム上には、手すり壁を固定するための控柱が立設されていた。そして、フレームの前面には、垂れ壁を設けていた。
【０００３】
【発明が解決しようとする課題】
しかし、上記従来のバルコニー構造の場合、手すり壁の下に、垂れ壁による大きな壁面が形成されることとなる。
【０００４】
したがって、このバルコニーは、手すり壁に軽快な印象のものを用いたとしても、その下の垂れ壁の部分が重くなってしまい、外観の意匠上、軽快なデザインのバルコニー設計が難しくなるといった不都合を生じることとなる。
【０００５】
本発明は、係る実情に鑑みてなされたものであって、バルコニー前面を軽快にすることができ、デザイン的な自由度を向上させることができるバルコニー構造を提供することを目的としている。
【０００６】
【課題を解決するための手段】
上記課題を解決するための本発明のバルコニー構造は、バルコニーの床面下の垂れ壁の前面に、この垂れ壁を覆い隠すように手すり壁が設けられてなり、この手すり壁は、控柱を被覆する縦枠に、バルコニー面材を設けて構成されてなり、バルコニー面材は、断面矩形状となされたリブ部と、断面板状となされた板状部とが交互に隣接する長尺に形成された板片からなり、その一側辺のリブ部を、他の板片の他側辺の板状部と接合して横並びに複数枚を接合するようになされ、一側辺のリブ部の側面には、対向する他の板片の板状部と同じ位置となるように、長手方向に沿って溝部が形成され、他側辺の板状部には、前記溝部に相当する分だけ幅方向に長く形成され、この長く形成された部分を長手方向に沿って片面側に屈曲した屈曲部が形成され、板片の屈曲部を、他の板片の溝部に嵌め込んだ後、これら板片同士を面一にすることによって、溝部内で屈曲部を突っ張らせるようになされ、縦枠は、その外面に、上記バルコニー面材のリブ部間に板状部が設けられたような意匠部が形成されるとともに、その両側に、上記バルコニー面材のリブ部の側面に設けられた溝部と同様の溝部が形成され、この溝部内に、それぞれバルコニー面材の板状部の屈曲部が嵌め込まれることによって、縦枠にバルコニー面材が取り付けられるようになされ、この取付状態で、バルコニーの外面からは、手すり壁の外観が、大面積の一枚ものであるように形成されたものである。
【０００７】
これにより、バルコニーは、外観からは垂れ壁が見えずに手摺り壁だけで構成されているように見せることができるとともに、バルコニーの外観全体が、この一枚ものであるかのように見せた手摺り壁だけにすることができる。
【０００８】
また、バルコニーがアルコーブ内に設けられ、手すり壁は、このアルコーブが設けられた前面の外壁からアルコーブ内にセットバックされた位置に納まるようになされたものである。
【０００９】
このように手摺り壁を前面の外壁からセットバックさせることで、アルコーブの凹部を強調することができる。
【００１０】
さらに、バルコニーの床面は、その前面の防水立ち上がり面が、バルコニーに出入りする出入口の下端部よりも低く形成され、手すり壁には複数の通気孔が穿孔され、バルコニーの床面に溜まった水が、前面の防水立ち上がり面からオーバーフローできるようになされたものである。
【００１１】
このように防水立ち上がり面を小さくすることにより、垂れ壁そのものを小さくできるので、この垂れ壁を覆う手摺り壁の高さを低くできるとともに、オーバーフロー管を省略することができる。
【００１４】
【発明の実施の形態】
以下、本発明の実施の形態を図面を参照して説明する。
【００１５】
図１は住宅建物のアルコーブ１０の部分に本発明のバルコニー１を設けた状態を示し、図２および図３はその要部を示している。
【００１６】
すなわち、このバルコニー１は、防水床２の先端部下に設けられる垂れ壁３の前面に、この垂れ壁３を覆い隠す手摺り壁４を設けて構成されている。
【００１７】
防水床２は、図２に示すように、床梁２１の上に設けた床下地２２の上に、勾配断熱材２３、不燃ボード２４、防水シート２５の順で設けられて構成されている。この防水床２は、先端部の防水立ち上がり面２ａが、バルコニー１の出入口１１の下端部の防水立ち上がり部の高さレベルＨよりも低くなるように形成されている。
【００１８】
垂れ壁３は、防水床２の先端部の床梁２１ａに金具３１を介して設けられる。この垂れ壁３は、床梁２１ａの上下の納まりをカバーできる約５００ｍｍ程度の高さに設けられる。
【００１９】
手摺り壁４は、バルコニー面材４１を、控柱４２を被覆する縦枠４３に固定して構成される。
【００２０】
バルコニー面材４１は、図４に示すように、アルミニウムを押出成形して形成される長尺の板状材を、所望の長さの板片に切断して形成されている。このバルコニー面材４１は、断面矩形状となされたリブ部４１ａと、断面板状となされた板状部４１ｂとが交互に隣接するようになされており、このリブ部４１ａと板状部４１ｂとによって幅方向に凹凸を形成するようになされている。このうち、リブ部４１ａは、長手方向に沿って複数の溝部を形成するように、その両面にスクラッチ模様が形成されている。また、板状部４１ｂは、長手方向に沿って適宜の間隔を存して、複数の矩形状の通気孔が穿孔されている。
【００２１】
バルコニー面材４１の一側辺のリブ部４１ａには、溝部４１ｃが形成されている。この溝部４１ｃは、リブ部４１ａの側面に長手方向に沿って設けられ、対向する位置から延設された板状部４１ｂと同じ位置となるようになされている。
【００２２】
バルコニー面材４１の他側辺の板状部４１ｂには、屈曲部４１ｄが形成されている。この屈曲部４１ｄが形成されることとなるバルコニー面材４１の他側辺の板状部４１ｂは、あらかじめ溝部４１ｃの深さに相当する分だけ幅方向に長く形成されており、この長く形成された部分を、バルコニー面材４１の内面側に屈曲させることによって屈曲部４１ｄが形成される。
【００２３】
このようにして構成されるバルコニー面材４１は、図５に示すように、溝部４１ｃ内に、他のバルコニー面材４１の屈曲部４１ｄを嵌め込んだ後、これらバルコニー面材４１、４１同士を面一にすることによって、溝部４１ｃ内で屈曲部４１ｄを突っ張らせるようにして複数枚を接合することができる。このように、溝部４１ｃ内で屈曲部４１ｄを突っ張らせると、図５（ｄ）に示すように、溝部４１ｃ内の二カ所の位置Ａ、Ｂで屈曲部４１ｄが圧接されることとなり、バルコニー面材４１、４１同士のがたつきが無くなり、強い接合力が得られることとなる。
【００２４】
この屈曲部４１ｄの屈曲角度としては、図５に示すように、バルコニー面材４１の溝部４１ｃ内に他のバルコニー面材４１の屈曲部４１ｄを嵌め込んだ後、バルコニー面材４１、４１同士を面一に戻すことができ、かつ溝部４１ｃ内で屈曲部４１ｄを突っ張らせることができる角度であれば、特に限定されるものではない。
【００２５】
なお、バルコニー面材４１は、一側辺に溝部４１ｃが形成され、他側辺に屈曲部４１ｄが形成されているが、両側辺に溝部４１ｃが形成さたものであってもよいし、両側辺に屈曲部４１ｄ形成されたものであってもよい。
【００２６】
控柱４２は、図２および図３に示すように、上記した垂れ壁３の前面に四本設けられる。このうち、両側に設けられる二本の控柱４２は、その下端部近傍に固定された腕部４２ａを、アルコーブ１０のコーナー部分の外壁１０ａのアルコーブ１０側の目地間から嵌め込んで、この外壁１０ａの躯体（図示省略）にボルト固定される。また、中央部に設けられる二本の控柱４２は、その下端部近傍に固定された腕部４２ａを、上記した垂れ壁３の目地間から嵌め込んで、床梁２１ａにボルト固定される。
【００２７】
縦枠４３は、図６に示すように、長尺に形成された一対の枠片４３ａ、４３ａの両側部を、同じく長尺に形成された接合片４３ｂ、４３ｂで接合して控柱４２を被覆するように構成されている。この接合状態で、接合片４３ｂ、４３ｂが設けられた面が、意匠面を形成するようになされている。
【００２８】
枠片４３ａは、その両側辺が、前記バルコニー面材４１のリブ部４１ａに相当する形状に形成されている。したがって、枠片４３ａの両側面には、このリブ部４１ａのスクラック模様と同様のスクラッチ模様が形成されている。また、このスクラッチ模様が設けられた面の両側面には、溝部４３ｃ、４３ｄが設けられている。このうち、枠片４３ａの表面に設けられた溝部４３ｃは、前記バルコニー面材４１の一側辺のリブ部４１ａに設けられた溝部４１ｃと同様に形成され、その内部に他のバルコニー面材４１の屈曲部４１ｄを嵌め込むことができるようになされている。また、他方の溝部４３ｄは、断面略Ｌ字状となされ、枠片４３ａ、４３ａ同士を接合する接合片４３ｂを嵌め込むことができるようになされている。
【００２９】
接合片４３ｂは、この枠片４３ａ、４３ａ同士を、前記バルコニー面材４１のリブ部４１ａ間に設けられた板状部４１ｂと同じ間隔で接合するようになされている。
【００３０】
このようにして接合された縦枠４３は、接合片４３ｂ、４３ｂが設けられた面に、前記バルコニー面材４１の通気孔に相当する孔が無い以外はリブ部４１ａと板状部４１ｂと横並びにしたような意匠面を形成することとなる。したがって、この縦枠４３の溝部４３ｃにバルコニー面材４１の屈曲部４１ｂを嵌め込んで手摺り壁４を構成すると、手摺り壁４は、外観からはバルコニー面材４１と縦枠４３との区別が着かないようになり、全体的にバルコニー面材４１が連続したような大面積の一枚ものに見えることとなる。
【００３１】
この手摺り壁４は、控柱４２を縦枠４３で被覆し、この縦枠４３の溝部４３ｃにバルコニー面材４１の屈曲部４１ｃを嵌め込んで構成される。手摺り壁４の下端部には、これらバルコニー面材４１、控柱４２、縦枠４３をまとめる見切り材４４が設けられる。また、手摺り壁４の上端部には、笠木４５が設けられる。
【００３２】
このようにして構成されるバルコニー１は、垂れ壁３の前面が手摺り壁４によって覆われるので、外観からは、垂れ壁３によってバルコニー１の下端部が重たくなるようなこともなく、全体的に手摺り壁４だけで構成されているように見せることができる。
【００３３】
また、この手摺り壁４によって覆われる垂れ壁３は、防水立ち上がり面２ａを低くして、床梁２１ａの上下の納まりをカバーできる程度の高さに止めているので、この垂れ壁３を覆う手摺り壁４の高さも、あまり高くならないようにすることができる。また、防水立ち上がり面２ａを、バルコニー１の出入口１１の下端部の防水立ち上がり部の高さレベルＨよりも低くしていることにより、バルコニー１に水が溜まっても、出入口１１から居室内へと入り込む心配がないので、オーバーフロー管を設置する必要がなくなる。
【００３４】
さらに、手摺り壁４は、控柱４２の腕部４２ａを、アルコーブ１０のコーナー部分の外壁１２のアルコーブ１０側の目地間の位置に設けて固定されるので、このアルコーブ１０が設けられた前面の外壁１３からアルコーブ１０内にセットバックした位置に納めて、アルコーブ１０の凹部を強調することができる。
【００３５】
さらに、手摺り壁４は、大面積の一枚ものに見せることができるので、今までにないシンプルで、かつ、大胆なバルコニーの意匠創作を可能にすることができる。
【００３６】
なお、本実施の形態において、バルコニー１は、アルコーブ１０内に設けられているが、外壁１３から突設された通常のバルコニーであってもよい。
【００３７】
また、垂れ壁３は、防水立ち上がり面２ａを低くしているが、手摺り壁４の高さやオーバーフロー管の設置をあまり気にする必要のない状況においては、垂れ壁３は、防水立ち上がり面２ａを低くしていないのものを使用してもよい。
【００３８】
また、本実施の形態において、手摺り壁４は、アルコーブ１０内にセットバックした位置に設けて、アルコーブ１０の凹部を強調するようになされているが、このアルコーブ１０の凹部を強調する必要のない状況においては、アルコーブ１０の前面の外壁１３と面一に設けられてもよい。
【００３９】
さらに、本実施の形態において、手摺り壁４は、バルコニー面材１と縦枠４３とを一体化したように見せるようになされているが、全くの別部材と判るように形成されたものであってもよい。
【００４０】
【発明の効果】
以上述べたように、本発明によると、バルコニーを手摺り壁だけで構成したように見せたり、このバルコニーを設けるアルコーブを強調したり、手摺り壁の高さを低くできたり、手摺り壁を一枚ものであるかのように見せたりすることにより、デザイン的な自由度の向上を図ることができ、バルコニー全体を軽快に見せることができる。
【図面の簡単な説明】
【図１】本発明に係るバルコニー構造の全体構成の概略を示す斜視図である。
【図２】本発明に係るバルコニー構造の部分省略断面図である。
【図３】（ａ）は本発明に係るバルコニー構造の正面図、（ｂ）は同図（ａ）のI-I 線断面図である。
【図４】（ａ）は本発明に係るバルコニー構造に使用されるバルコニー面材を示す部分省略正面図、（ｂ）は同端面図である。
【図５】（ａ）および（ｂ）は図４に示すバルコニー面材同士を接合する方法を説明する端面図、（ｃ）および（ｄ）は同図（ａ）および（ｂ）の要部拡大端面図である。
【図６】  ( ａ) は本発明に係るバルコニー構造の手摺り壁に使用される縦枠の端面図、( ｂ) は同部分省略正面図である。
【符号の説明】
１  バルコニー
１０  アルコーブ
１１  出入口
１３  外壁
２  防水床
２ａ  防水立ち上がり面
３  垂れ壁
４  手摺り壁
４１  バルコニー面材
４２  控柱
４３  縦枠
４３ｃ  溝部
【図１】
0003892308.tif 000002
【図２】
0003892308.tif 000003
【図３】
0003892308.tif 000004
【図４】
0003892308.tif 000005
【図５】
0003892308.tif 000006
【図６】
0003892308.tif 000007